(57)【要約】【課題】  広視野角表示モードと狭視野角表示モードとの切り替えを可能とする表示装置において、狭視野角表示モード時に、上下方向と左右方向との両方の視野角を制御し、左右および上下方向の斜めからの視線に対して画像認識を防止可能とする表示装置を実現する。【解決手段】  メインＬＣＤ１４に対して、視野角表示用の第１のＳＷ−ＬＣＤ１２および第２のＳＷ−ＬＣＤ１６を備える。第１のＳＷ−ＬＣＤ１２では左右方向の視野角を制御し、第２のＳＷ−ＬＣＤ１６では上下方向の視野角を制御する。【選択図】  図１
2006106439.tif 000002
【特許請求の範囲】
【請求項１】
画像を表示するための映像表示手段を有し、
視認される画像を、単一画像表示モードと複数画像表示モードとに電気的に切り替え可能な表示装置において、
映像表示手段に表示される画像に対し、画面左右斜め方向からの視線に対する視認を制御する第１の表示切替手段と、
映像表示手段に表示される画像に対し、画面上下斜め方向からの視線に対する視認を制御する第２の表示切替手段とを備え、
単一画像モードでは、上記第１の表示切替手段および第２の表示切替手段ともに、画面左右斜め方向および画面上下斜め方向からの視線に対して映像表示手段に表示される画像を視認可能とし、
複数画像表示モードでは、上記第１の表示切替手段および第２の表示切替手段の少なくとも一方が、画面左右斜め方向または画面上下斜め方向からの視線に対して映像表示手段に表示される画像の視認を防止することを特徴とする表示装置。
【請求項２】
上記第１の表示切替手段は、一対の基板間に配された液晶層であると共に、さらに、上記表示切替手段に一定方向の直線偏光を入射させる第１偏光手段と、上記表示切替手段から出射する光のうち一定方向の直線偏光を取り出す第２偏光手段とを備えており、
上記液晶層の液晶分子を基板と直交する方向から投射した場合の液晶分子の長軸方向と、上記液晶分子に入射する光の直線偏光方向とが、常に略平行または略垂直となっており、
単一画像表示モードでは、液晶分子の長軸方向が上記基板と略平行または略垂直となるように配向されており、
複数画像表示モードでは、その長軸方向が、基板に対して傾斜するように配向されているとともに、
液晶分子の長軸方向は、画面上下方向に対して平行となっていることを特徴とする請求項１に記載の表示装置。
【請求項３】
上記第２の表示切替手段は、一対の基板間に配された液晶層であると共に、さらに、上記表示切替手段に一定方向の直線偏光を入射させる第３偏光手段と、上記表示切替手段から出射する光のうち一定方向の直線偏光を取り出す第４偏光手段とを備えており、
上記液晶層の液晶分子を基板と直交する方向から投射した場合の液晶分子の長軸方向と、上記液晶分子に入射する光の直線偏光方向とが、常に略平行または略垂直となっており、
単一画像表示モードでは、液晶分子の長軸方向が上記基板と略平行または略垂直となるように配向されており、
複数画像表示モードでは、その長軸方向が、基板に対して傾斜するように配向されているとともに、
液晶分子の長軸方向は、画面左右方向に対して平行となっていることを特徴とする請求項１に記載の表示装置。
【請求項４】
請求項１ないし３の何れかに記載の表示装置を搭載していることを特徴とする電子機器。
【発明の詳細な説明】
【技術分野】
【０００１】
本発明は表示装置に関し、特に視線方向によって視認される画像が変わるモードに切り替えできる表示装置に関するものである。
【背景技術】
【０００２】
近年、電子機器の軽量化が進んでおり、携帯電話機やモバイルパソコン等ディスプレイを有する電子機器も、持ち出して公共の場で使用できるようになっている。この場合、機密文書や個人的に閲覧したい情報がそばにいる人にも見えてしまうという問題が生じていた。
【０００３】
この問題に対応して、通常は広視野角表示モードに設定でき、公共の場へ持ち出して使用する場合には、狭視野角表示モードに切り替えられる表示装置が提案されている。なお、狭視野角表示モードとは、使用者のいるディスプレイ真正面からは通常どおりの表示画像が視認でき、斜め方向からは無地画像または別の画像が見えるモードである。また、広視野角表示モードへの切り替えを可能とすることで、撮影した画像を多人数で見たいときなど広視野角が求められる場合にも対応できる。
【０００４】
このような表示を行うための部品として、例えば、特許文献１に開示される視野角可変素子は、一対の基板の間の液晶層が、基板に対して垂直方向に液晶分子が配向することで狭視野角となり、平行方向に配向することで広視野角となっている。また、特許文献２には、２枚のガラス板の間の液晶の配向を変更することにより、情報表示手段の視野角を変更する視野角変更手段が記載されている。
【０００５】
さらに、表示装置をいくつかの区画に分け、それぞれの区画で液晶配向方向等を異ならせることで、狭視野角表示モードにおいて、正面以外の方向からディスプレイを見た場合に、ディスプレイに表示されたものとは異なる別の画像が視認できるようにする構成のものもある。例えば、特許文献３には、液晶層を挟む配向膜が複数の領域に区画され、隣接する前記領域の配向方向が異なる液晶表示装置が開示されている。また、特許文献４には、視角方向が異なる第１の液晶セルと第２の液晶セルとを交互に配する液晶表示装置が開示されている。
【特許文献１】特開平９−１０５９５８（公開日：１９９７年４月２２日）
【特許文献２】特開２００４−６２０９４（公開日：２００４年２月２６日）
【特許文献３】特開２００１−２６４７６８（公開日：２００１年９月２６日）
【特許文献４】特開２００４−３８０３５（公開日：２００４年２月５日）
【発明の開示】
【発明が解決しようとする課題】
【０００６】
しかしながら、昨今の携帯電話機においては、表示部を通常の縦置きにして観察する以外に、表示部を横置きにしてテレビ画像などを表示する場合があり、表示部の向きをユーザー自身が選択して使用するシーンが今後増大する傾向にある。
【０００７】
これに対し、上記特許文献１および４の何れにおいても、狭視野角表示モード時において視野角制御によって斜めからの画面認識を防止する方向は、一方向（水平方向）しか考慮されていない。すなわち、左右方向の斜めからの視線に対しては画像認識を防止することはできるが、上下方向の斜めからの視線に対しては画像認識を防止することはできない。
【０００８】
このように従来技術では、視野角制御によって画面認識を防止できる方向が左右方向に限定されているために、通常の縦置きにて観察する場合には、視野角を制御してプライバシーの保護を達成できるが、横置きにて観察する場合には、上下方向の視野角制御を行うこととなり、左右にいる他人へのプライバシーの保護を達成することができなかった。
【０００９】
また、表示部を縦置きにして使用する場合でも、携帯電話機を用いて電車の車内で立った状態でメールを使用する場合などには、後方から使用者の肩越しにディスプレイが視認できる場合がある。このような場合に後方からの画像認識を防止するためには、上下方向の斜めからの視線に対しては画像認識を防止することが重要となる。このため、狭視野角表示モードにおいては、左右方向のみならず上下方向の斜めからの視線に対しても、画像認識を防止可能とすることが求められる。
【００１０】
本発明は、上記の問題点に鑑みてなされたものであり、その目的は、広視野角表示モードと狭視野角表示モードとの切り替えを可能とする表示装置において、狭視野角表示モード時に、上下方向と左右方向との両方の視野角を制御し、左右および上下方向の斜めからの視線に対して画像認識を防止可能とする表示装置を実現することにある。
【課題を解決するための手段】
【００１１】
本発明に係る表示装置は、上記課題を解決するために、画像を表示するための映像表示手段を有し、視認される画像を、単一画像表示モードと複数画像表示モードとに電気的に切り替え可能な表示装置において、映像表示手段に表示される画像に対し、画面左右斜め方向からの視線に対する視認を制御する第１の表示切替手段と、映像表示手段に表示される画像に対し、画面上下斜め方向からの視線に対する視認を制御する第２の表示切替手段とを備え、単一画像モードでは、上記第１の表示切替手段および第２の表示切替手段ともに、画面左右斜め方向および画面上下斜め方向からの視線に対して映像表示手段に表示される画像を視認可能とし、複数画像表示モードでは、上記第１の表示切替手段および第２の表示切替手段の少なくとも一方が、画面左右斜め方向または画面上下斜め方向からの視線に対して映像表示手段に表示される画像の視認を防止することを特徴としている。
【００１２】
上記の構成によれば、上記映像表示手段にて表示される画像は、複数画像表示モード時における斜め方向からの視線に対し、第１の表示切替手段および第２の表示切替手段によってその視認を防止される。
【００１３】
さらに、上記第１および第２表示切替手段を用いることで、左右および上下方向の斜めからの視線に対する画像認識の防止を独立して実施可能とする表示装置を実現することができる。
【００１４】
また、上記表示装置では、上記第１の表示切替手段は、一対の基板間に配された液晶層であると共に、さらに、上記表示切替手段に一定方向の直線偏光を入射させる第１偏光手段と、上記表示切替手段から出射する光のうち一定方向の直線偏光を取り出す第２偏光手段とを備えており、上記液晶層の液晶分子を基板と直交する方向から投射した場合の液晶分子の長軸方向と、上記液晶分子に入射する光の直線偏光方向とが、常に略平行または略垂直となっており、単一画像表示モードでは、液晶分子の長軸方向が上記基板と略平行または略垂直となるように配向されており、複数画像表示モードでは、その長軸方向が、基板に対して傾斜するように配向されているとともに、液晶分子の長軸方向は、画面上下方向に対して平行となっている構成とすることができる。
【００１５】
同様に、上記表示装置では、上記第２の表示切替手段は、一対の基板間に配された液晶層であると共に、さらに、上記表示切替手段に一定方向の直線偏光を入射させる第３偏光手段と、上記表示切替手段から出射する光のうち一定方向の直線偏光を取り出す第４偏光手段とを備えており、上記液晶層の液晶分子を基板と直交する方向から投射した場合の液晶分子の長軸方向と、上記液晶分子に入射する光の直線偏光方向とが、常に略平行または略垂直となっており、単一画像表示モードでは、液晶分子の長軸方向が上記基板と略平行または略垂直となるように配向されており、複数画像表示モードでは、その長軸方向が、基板に対して傾斜するように配向されているとともに、液晶分子の長軸方向は、画面左右方向に対して平行となっている構成とすることができる。
【００１６】
上記の構成によれば、上記液晶層の液晶分子の長軸方向は、上記第１または第３偏光手段の透過軸または吸収軸の方向と光の進行方向とがなす面に含まれており、上記液晶分子は、その長軸方向が、光の進行方向に対して略垂直または略平行である状態と、光の進行方向に対して傾斜している状態とを取り得る構成である。ここで、傾斜とは、或る方向または或る平面に対し、平行でも垂直でもないことを意味する。
【００１７】
言い換えれば、上記液晶層の液晶分子の長軸方向が、単一画面表示モードでは、上記基板と略平行、かつ、第１または第３偏光手段の偏光透過軸に略平行または略垂直であり、複数画像表示モードでは、この単一画面表示モードの状態から、基板に垂直な方向に傾斜する。あるいは、上記液晶層の液晶分子の長軸方向が、単一画面表示モードでは、上記基板と略垂直であり、複数画像表示モードでは、この単一画面表示モードの状態から、第１偏光手段の偏光透過軸に略平行または略垂直で、かつ、基板に垂直な面内にて傾斜する。
【００１８】
これによれば、第１または第３偏光手段により、表示切替手段に入射する光が一定方向の直線偏光となる。また、表示切替手段の液晶層においては、液晶分子を基板と直交する方向から投射した場合の長軸方向が、第１または第３偏光手段を透過した光の偏光方向と常に略平行または略垂直となるように配向している。
【００１９】
液晶層に入射する直線偏光の偏光方向と、ある方向から液晶分子を投射した場合の長軸方向とが平行または垂直である場合、この方向から見たときに液晶層での複屈折は生じない。したがって、選択されたモードに限らず、配向変化により液晶分子上の点が描く平面と平行な方向から（以下、「正面方向から」と言う）見た液晶層では複屈折が生じない。よって、例えば、第１または第３偏光手段と第２または第４偏光手段との偏光透過軸を同方向にしたり、第１または第３偏光手段を出射する直線偏光を、第２または第４の偏光手段の透過軸と一致するように偏光方向を回転させて第２または第４偏光手段に入射させる部材を設置することで、第１または第３偏光手段と同じ方向の直線偏光を第２または第４偏光手段にて取り出せば、映像表示装置の画像が視認できる。
【００２０】
一方、上記正面方向以外から見た場合（以下斜め方向から見た場合、と言う）には、単一画面表示モードか、複数画面表示モードとで、視認される画像が異なる。
【００２１】
単一画面表示モードでは、液晶分子の長軸方向が上記基板と略平行または略垂直となっているので、斜め方向から投射した場合の液晶分子の長軸方向も、正面から見た場合と同じになる。よって、斜め方向から見ても、液晶分子に複屈折が生じず、入射光が液晶層と第２または第４偏光手段とを通過させることができ、映像表示装置の画像が視認できる。
【００２２】
これに対し、複数画面表示モードでは、液晶分子の長軸方向を基板に対して傾斜させることで斜め方向から投射した場合の液晶分子の長軸方向が、入射光の偏光方向と交差角をもつ。よって、斜め方向から見た場合に、液晶分子に複屈折が生じ、液晶層を透過した光の偏光方向が変わり、第２または第４偏光手段を通過させることができなくなり、映像表示装置の画像が視認できなくなる。
【００２３】
したがって、単一画面表示モードでは、どの方向からでも映像表示手段が表示する画像を視認でき、複数画像モードでは、特定の方向からのみ映像表示手段が表示する画像を視認できる。よって、この表示装置で、公共の場所で機密文書を閲覧したいときや、撮影した画像を多人数で見たいときなどの状況に合わせて、視野角を変更できる。
【００２４】
また、このような構成によれば、複屈折を制御することにより視野角を制御しているので、簡単な構成で、映像表示装置の表示品位は良好に保つことができる。
【００２５】
本発明の電子機器は、以上のような表示装置を搭載している。
【００２６】
したがって、簡単な構成で、表示品位が保たれ、モード切替によって、特定の方向からは表示画像を隠すことのできる表示ができる電子機器を実現できる。
【発明の効果】
【００２７】
本発明に係る表示装置は、以上のように、画像を表示するための映像表示手段を有し、視認される画像を、単一画像表示モードと複数画像表示モードとに電気的に切り替え可能な表示装置において、映像表示手段に表示される画像に対し、画面左右斜め方向からの視線に対する視認を制御する第１の表示切替手段と、映像表示手段に表示される画像に対し、画面上下斜め方向からの視線に対する視認を制御する第２の表示切替手段とを備え、単一画像モードでは、上記第１の表示切替手段および第２の表示切替手段ともに、画面左右斜め方向および画面上下斜め方向からの視線に対して映像表示手段に表示される画像を視認可能とし、複数画像表示モードでは、上記第１の表示切替手段および第２の表示切替手段の少なくとも一方が、画面左右斜め方向または画面上下斜め方向からの視線に対して映像表示手段に表示される画像の視認を防止する構成である。
【００２８】
それゆえ、上記映像表示手段にて表示される画像は、複数画像表示モード時における斜め方向からの視線に対し、第１の表示切替手段および第２の表示切替手段によってその視認を防止されるという効果を奏する。さらに、上記第１および第２表示切替手段を用いることで、左右および上下方向の斜めからの視線に対する画像認識の防止を独立して実施可能とする表示装置を実現することができるという効果を奏する。
【発明を実施するための最良の形態】
【００２９】
本発明の一実施形態について図１ないし図１１に基づいて説明すると以下の通りである。
【００３０】
図２は、本発明の一実施形態である携帯電話機（電子機器）１の外観を示している。本実施形態の携帯電話機１は、いわゆるクラムシェル型であり、同図に開いた状態で示されている。図２は、携帯電話機１を閉じたときに内側となる部分であり、携帯電話機１を開いたときに利用者が主に利用する側である。そこで、本願では図２に示される側を前面側とする。
【００３１】
図２に示すように、携帯電話機１は、本体２と、蓋体３とからなり、本体２と蓋体３とはヒンジ状に連結している。蓋体３には、前面側に表示部（表示装置）４が設けられている。
【００３２】
本体２には、前面側にメイン操作ボタン群６が設けられている。メイン操作ボタン群６は、携帯電話機１における各種設定や機能切替を行うための機能ボタン群７と、数字や文字などの記号を入力するための入力ボタン群８とから構成されている。具体的には、機能ボタン群７は、携帯電話の電源のＯＮ／ＯＦＦを切替る電源ボタン、撮影モードを起動させるカメラボタン、メールモードを起動させるメールボタン、選択対象を上下左右方向に移動させるための十字ボタン、該十字ボタンの中央に配置されており種々の選択を決定する決定ボタンなどを含んでいる。また、入力ボタン群８は、テンキーである。
【００３３】
本発明の携帯電話機１は、表示部４にメール本文や撮影画像等のメイン画像を表示させた場合に、周囲からは表示部４に別の画像が視認されるようにするものである。以下、このように周囲からメール本文や撮影画像が見えなくなる設定を狭視野角モード（複数画像表示モード）といい、通常どおり、どの角度から見ても表示部４の表示が見えるモードを広視野角モード（単一画面表示モード）という。この狭視野角モードと広視野角モードとは、使用者が、操作ボタンにより任意に設定変更できる。
【００３４】
広視野角モードでは、表示部４を真正面から見た場合も（正面方位）、表示部４を斜めから見た場合もメイン画像が視認される。一方、狭視野角モードでは、正面方位ではメイン画像が視認されるが、斜め方位からは、該メイン画像の視認が防止される。
【００３５】
以下に、この表示部４の詳細な構成について説明する。
【００３６】
表示部４の断面図を図１に示す。表示部４は、第２偏光板（第２の偏光手段、直線偏光板）１１、第１のスイッチング液晶表示部（第１の表示切替手段、液晶素子。以下第１のＳＷ−ＬＣＤと称する）１２、第１偏光板（第１の偏光手段）１３、メイン液晶表示部（画像表示手段、以下メインＬＣＤと称する）１４、第４偏光板（第４の偏光手段）１５、第２のスイッチング液晶表示部（第２の表示切替手段、液晶素子。以下第２のＳＷ−ＬＣＤと称する）１６、第３偏光板（第３の偏光手段）１７をこの順に積層させてなり、第４偏光板側にバックライト１８が設置されている。
【００３７】
ここで、第１偏光板１３の偏光透過軸と第２偏光板１１の偏光透過軸の関係は、平行に設定することが望ましいが、メインＬＣＤの特性の要求にしたがって、第１偏光板１３は任意の軸角度を持つ可能性がある。
【００３８】
この場合には、任意の軸角度に設定されている第１偏光板１３を出射する直線偏光を、適宜λ／２板などで、第２偏光板１１の透過軸と一致するように偏光方向を回転させることで、第１偏光板１３の偏光透過軸と第２偏光板１１の偏光透過軸とが平行に設定されているときと、同様の効果を得ることができる。
【００３９】
なお、第２偏光板１１は第１のＳＷ−ＬＣＤ１２に貼り付けられ、第１偏光板１３と第４偏光板１５とはメインＬＣＤ１４の両表面に貼り付けられており、第３偏光板１７は第２のＳＷ−ＬＣＤ１６に貼り付けられている。また、第１のＳＷ−ＬＣＤ１２の第２偏光板１１が貼り付けられていない側とメインＬＣＤとが、第１偏光板１３を介して接着部１９により接着されており、第２のＳＷ−ＬＣＤ１６の第３偏光板１７が貼り付けられていない側とメインＬＣＤとが、第４偏光板１５を介して接着部２０により接着されている。
【００４０】
そして、第２偏光板１１が第１のＳＷ−ＬＣＤ１２に貼り付けられたもの、および第３偏光板１７が第２のＳＷ−ＬＣＤ１６に貼り付けられたものが視野角制御装置として機能する。また、接着部１９および２０は、熱硬化型や紫外線硬化型の樹脂系接着剤により接着しても良いし、いわゆる両面テープにより固定してもかまわない。又、貼付け領域は、全面接着でも良いし、例えば枠状など部分接着でもかまわない。
【００４１】
メインＬＣＤ１４は、透明電極基板４１・４２の間に液晶層４３が封入されており、図示しない制御部にしたがって透明電極基板４１・４２に電圧を印加することで、液晶層４３の液晶分子の配向を変化させて、画像を表示する。メインＬＣＤ１４は、図示しない制御部によって、携帯電話機１の操作画面や写真、メール本文などの画像を表示するように制御されている。メインＬＣＤ１４としては、一般的に知られている液晶表示装置を用いればよい。例えば、アクティブマトリックス駆動方式で駆動されるＴＮ（Twisted Nematic）モードの液晶表示装置やＶＡ（Vertical alignment）モードの表示方式の液晶表示装置等、任意のモードの液晶表示装置を用いることができる。また、メイン液晶表示部１４の代わりに、有機ＥＬ（Electroluminescence）表示装置やプラズマ表示装置のように自発光型のディスプレイを用いてもよい。なお、自発光型の場合はバックライトは不要である。
【００４２】
第１のＳＷ−ＬＣＤ１２は、基板２１、透明電極膜２６、配向膜２４、液晶層２３、配向膜２５、透明電極膜２７、基板２２、がこの順に形成されている。液晶層２３の液晶分子は、配向膜２４、２５に応じて初期の配向方向が決まり、さらに、透明電極２６、２７への、図示しない制御部からの電圧印加により、配向方向が変化する。同様に、第２のＳＷ−ＬＣＤ１６は、基板６１、透明電極膜６６、配向膜６４、液晶層６３、配向膜６５、透明電極膜６７、基板６２、がこの順に形成されている。液晶層６３の液晶分子は、配向膜６４、６５に応じて初期の配向方向が決まり、さらに、透明電極６６、６７への、図示しない制御部からの電圧印加により、配向方向が変化する。そして、第１のＳＷ−ＬＣＤ１２および第２のＳＷ−ＬＣＤ１６における液晶層２３および６３の液晶分子の配向方向の変化により、狭視野角モードと広視野角モードとを切り替える。
【００４３】
第１のＳＷ−ＬＣＤ１２では、基板２１・２２の間に液晶層２３が配されており、図示しない制御部にしたがって透明電極膜２６・２７に電圧を印加することで、液晶層２３の液晶分子の配向を変化させる。制御部は、使用者の設定した広視野角モード、あるいは、狭視野角モードによって、液晶層２３の液晶分子の配向方向を、広視野角モード用あるいは狭視野角モード用の配向方向に変更する。なお、配向膜２４・２５は何れか一方だけ設けてもよい。
【００４４】
同様に、第２のＳＷ−ＬＣＤ１６では、基板６１・６２の間に液晶層６３が配されており、図示しない制御部にしたがって透明電極膜６６・６７に電圧を印加することで、液晶層６３の液晶分子の配向を変化させる。制御部は、使用者の設定した広視野角モード、あるいは、狭視野角モードによって、液晶層６３の液晶分子の配向方向を、広視野角モード用あるいは狭視野角モード用の配向方向に変更する。なお、配向膜６４・６５は何れか一方だけ設けてもよい。
【００４５】
バックライト１８は、表示のための光を供給する。第３偏光板１７は、第２のＳＷ−ＬＣＤ１６に入る前のバックライト１８の光から一定方向の直線偏光を取り出す。第４偏光板１５は、第２のＳＷ−ＬＣＤ１６を透過したバックライト光から一定方向の直線偏光を取り出す。第１偏光板１３は、第２のＳＷ−ＬＣＤ１６およびメインＬＣＤ１４を透過し、第１のＳＷ−ＬＣＤ１２に入射する前の光から一定方向の直線偏光を取り出す。第２偏光板１１は、第２のＳＷ−ＬＣＤ１６、メインＬＣＤ１４および第１のＳＷ−ＬＣＤ１２を透過したバックライト光から一定方向の直線偏光を取り出す。
【００４６】
以下にＳＷ−ＬＣＤにおける液晶分子の配向変化について図３〜図８を用いて、４つのＳＷ−ＬＣＤの液晶分子配向例を説明する。また、以下の液晶分子配向例１〜４では、第１のＳＷ−ＬＣＤ１２を例にとって説明を行っている。
【００４７】
（ＳＷ−ＬＣＤの液晶分子配向例１）
図３（ａ）は携帯電話機１の表示部４の表示面を、メイン−ＬＣＤ１４の画像の上下方向が紙面の上下となるように示したものである。なお、以下、表示画面上の左右方向をｘ方向、上下方向をｙ方向、表示部４の厚さ方向をｚ方向と言う。また、図３〜８では、透明電極膜２６、２７および配向膜２４、２５が配されたものを省略して図示している。
【００４８】
まず、図３（ａ）に示すように、第２偏光板１１および第１偏光板１３の偏光透過軸をｙ方向となるように配置する。また、配向膜２４・２５のラビング方向を、第１および第２偏光板１１・１３の偏光透過軸と平行にし、かつ、互いに１８０度逆方向にして、配向方向をアンチパラレル構造にする。そして、配向膜２４・２５として水平配向材のポリイミド材料を使用し、基板２１・２２と略平行となるように液晶分子を配向させる。これにより、液晶分子の長軸方向が上記偏光透過軸と略平行になるように一軸配向される。
【００４９】
この場合、図３（ｂ）のＡ−Ａ'断面図に示すとおり、電圧無印加の状態で、ＳＷ−ＬＣＤ１２の液晶分子は第１偏光板１３の偏光透過軸と略平行に一軸配向している。バックライト１８からメインＬＣＤ１４を経て第１のＳＷ−ＬＣＤ１２に入射する光は、第１偏光板１３を透過するので、第１のＳＷ−ＬＣＤ１２に入射する光の偏光方向と液晶分子の配向方向ａは略一致している。
【００５０】
この状態の第１のＳＷ−ＬＣＤ１２をｘ方向にずれながら見た場合の、液晶分子の見え方を示したのが図３（ｃ）である。同図によると、正面方向から液晶分子を投射した場合の形状（観察者３１から見た液晶分子の形状）が液晶分子３５ａのようになり、長軸方向と入射光の偏向方向が略一致している。液晶分子の投影図の長軸方向と入射光の偏光方向とがなす角度が０度の場合には、入射光は複屈折の影響を受けることなく透過するので、この場合はそのままメインＬＣＤ１４の画像が見える。同様に、正面からｘ方向にずれた視点から液晶分子を投射した場合の形状（観察者３２、３３から見た液晶分子の形状）も液晶分子３５ｂ、３５ｃのようになり、長軸方向と入射光の偏向方向が略一致している。よって、メインＬＣＤ１４の画像が見える。つまり、どの方向から見てもメインＬＣＤ１４の画像が見える。この状態、つまり電圧無印加の状態を広視野角モードとして設定する。
【００５１】
一方、狭視野角モードでは、電圧無印加の状態から、ｘ方向を軸とした回転により液晶分子が基板２１・２２に対して４５度傾斜するように、透明電極膜２５・２６に交流電圧（例えば、１００Ｈｚ、３Ｖの電圧）をかける。このときの液晶分子の様子を、図４（ａ）（ｂ）に示している。図４（ａ）は、上記Ａ−Ａ’断面を示しており、基板２１・２２に対して４５度傾斜していることがわかる。図４（ｂ）は、上記Ｂ−Ｂ’断面を示しており、液晶分子は紙面法線方向から約４５度傾斜している。
【００５２】
この場合、図４（ｂ）に示すように、観察者３１から見た液晶分子、すなわち、正面方向からの液晶分子の投射図が、液晶分子３６ａのようになる。液晶分子の配向変化はｘ軸方向を軸とした回転によるので、第２偏光板１１と第１偏光板１３との偏光方向は、液晶分子３６ａの長軸方向と常に一致する。このため、正面方向から見た場合（図４の観察者３１が見た場合）は、複屈折の影響を受けず、そのままメインＬＣＤ１４の画像が見える。
【００５３】
一方、表示部４に向かって左側にいる観察者３２から見た液晶分子、すなわち、基板２１・２２に向かって左側から投射した液晶分子の投射図は、液晶分子３６ｂのようになる。この場合、第２偏光板１１と第１偏光板１３との偏光方向は、液晶分子投射図（液晶分子３６ｂ）の長軸方向と角度を持つので、液晶分子投射図の長軸方向は入射光の偏光方向と交差角を持つ。よって、観察者３２から見ると、液晶の複屈折の影響で第１のＳＷ−ＬＣＤ１２を光が透過せず、メインＬＣＤ１２の画像が見えない。
【００５４】
同様に、表示部４に向かって右側にいる観察者３３から見た液晶分子、すなわち、基板２１・２２に向かって右側からの液晶分子の投射図が、液晶分子３６ｃのようになる。第２偏光板１１と第１偏光板１３との偏光方向は、投射図の長軸方向と角度を持つので、液晶分子投射図の長軸方向は入射光の偏光方向と交差角を持ち、偏光方向が回転する。よって、観察者３３から見ると、液晶の複屈折の影響でＳＷ−ＬＣＤ１４を光が透過せず、メインＬＣＤ１２の画像が見えない。
【００５５】
以上のような仕組みにより、透明電極膜２６・２７に電圧を印加すると、表示部４を、正面方向から見た場合（観察者３１が見た場合）は、複屈折の影響を受けずそのままメインＬＣＤ１４の画像が見えるが、正面方向以外から見た場合（観察者３２・３３が見た場合）は、複屈折の影響を受けてＳＷ−ＬＣＤを光が透過せず、メインＬＣＤ１４の画像が見えなくなる。
【００５６】
なお、狭視野角モードにおける液晶分子の配向方向は、基板２１・２２に対して４５度の傾斜に限られるものではなく、基板２１・２２に対して傾斜していればどのような角度の傾斜でもかまわない。つまり、基板２１・２２に略平行時の傾斜角度より大きく、略垂直時の傾斜角度より小さければ（つまり、０度より大きく９０度より小さければ）よい。この傾斜角度としては、好ましくは１０度以上８０度以下であり、より好ましくは４０度以上５０度以下である。これは、傾斜角が４５度に近づくほど複屈折が大きくなり、良好に画像を隠すことができるためである。また、傾斜角が小さいと、駆動電圧が小さくなるので消費電力を低くすることができる。
【００５７】
なお、観察者がｙ方向にずれた場合は、液晶分子の投影図の長軸方向が変化しないので、メインＬＣＤ１２が視認できるか否かはｘ方向への視点のずれにのみ依存する。したがって、ｙｚ平面（液晶分子上の点が配向方向を変化させる回転により描く平面）と平行な方向からの視線を正面方向からの視線とする。
【００５８】
（ＳＷ−ＬＣＤの液晶分子配向例２）
ＳＷ−ＬＣＤの液晶分子配向例２を図５を用いて説明する。液晶分子配向例２は、第１のＳＷ−ＬＣＤ１２において、配向膜２４・２５の代わりに、垂直配向材のポリイミド材料を使用した配向膜を使用した第１のＳＷ−ＬＣＤ１２’を用いることで実現される。これにより、図５（ａ）のように、電極基板２１・２２と略垂直となるように液晶分子を配向させられる。
【００５９】
この場合、電圧無印加の状態で、第１のＳＷ−ＬＣＤ１２’の液晶分子は基板２１・２２と略垂直に一軸配向している。すなわち、正面から見た場合は、液晶分子３７ａが真円に見える（投射図が真円のときは、すべての方向が長軸方向であるとみなす）。そして、正面以外の方向から見た場合は、液晶分子３７ｂ・３７ｃのように長軸方向がｘ方向になる。よって、正面方向を含むどの方向から投射した場合でも、長軸方向ｂと入射光の偏向方向とが９０度となる。液晶分子の投影図の長軸方向と入射光の偏光方向とがなす角度が９０度（直角）の場合には、入射光は複屈折の影響を受けることなく透過するので、どの角度から観察しても、そのままメインＬＣＤ１４の画像が見える。この状態、つまり電圧無印加の状態を広視野角モードとして設定する。
【００６０】
一方、狭視野角モードでは、広視野角モードの状態から、ｘ方向を軸とした回転により液晶分子が基板２１・２２に対して４５度傾斜するように、透明電極膜２６・２７に交流電圧をかける。このときの液晶分子の様子は、図４に示すＳＷ−ＬＣＤの配向例１の場合と同様である。
【００６１】
よって、同様の仕組みにより、透明電極膜２６・２７に電圧を印加すると、表示部４は、正面方向から見た場合（観察者３１が見た場合）は、複屈折の影響を受けずそのままメインＬＣＤ１４の画像が見えるが、正面方向以外から見た場合（観察者３２・３３が見た場合）は、複屈折の影響を受けてメインＬＣＤ１４の画像が見えない。
【００６２】
（ＳＷ−ＬＣＤの液晶分子配向例３）
図６（ａ）は携帯電話機１の表示部４を、表示画面の上下方向が紙面の上下となるように示したものである。
【００６３】
まず、図６（ａ）に示すように、第１偏光板１３および第２偏光板１１の偏光透過軸をｘ方向となるように配置する。そして、配向膜２４・２５のラビング方向を、第１偏光板１３および第２偏光板１１の偏光透過軸と垂直（ｙ方向）にし、かつ、互いに１８０度逆方向にして、配向方向をアンチパラレル構造にする。そして、配向膜２４・２５として水平配向材のポリイミド材料を使用し、基板２１・２２と略平行となるように液晶分子を配向させる。これにより、図６（ｂ）に示すように、液晶分子の長軸方向が偏光板の偏光透過軸と略直角になるように一軸配向される。
【００６４】
この場合、図６（ｂ）に示すように、電圧無印加の状態で、第１のＳＷ−ＬＣＤ１２の液晶分子は、基板２１・２２に平行、かつ、第１偏光板１３の偏光透過軸と直角となるように一軸配向している。バックライト１８からメインＬＣＤ１４を経て入射する光は、第１偏光板１３を透過するので、第１のＳＷ−ＬＣＤ１２に入射する光の偏光方向と液晶分子の配向方向は直角となる。この状態の第１のＳＷ−ＬＣＤ１２をｘ方向にずれながら見た場合の、液晶分子の見え方を図６（ｃ）に示す。同図によると、正面方向から投射した場合の形状（観察者３１から見た液晶分子の形状）が液晶分子３８ａのようになり、投射された液晶分子の長軸方向ｃと入射光の偏向方向が直角となる。液晶分子の投影図の長軸方向と入射光の偏光方向とがなす角度が９０度の場合には、入射光は複屈折の影響を受けることなく透過するので、どの角度から観察しても、そのままメインＬＣＤ１４の画像が見える。この状態、つまり電圧無印加の状態を広視野角モードとして設定する。
【００６５】
一方、狭視野角モードでは、電圧無印加の状態から、ｘ方向を軸とした回転により液晶分子が基板２１・２２に対して４５度傾斜するように、透明電極膜２５・２６に交流電圧をかける。このときの液晶分子の様子を、図７に示している。図７（ａ）は、Ａ−Ａ’断面を示しており、基板２１・２２に対して４５度傾斜していることがわかる。図７（ｂ）は、Ｂ−Ｂ’断面を示しており、液晶分子は紙面法線方向から４５度傾斜している。
【００６６】
この場合、図７（ｂ）に示すように、観察者３１から見た液晶分子、すなわち、正面方向からの液晶分子の投射図が、液晶分子３９ａのようになる。液晶分子の配向方向の変化は、ｘ方向を軸とした回転によるので、第２偏光板１１と第１偏光板１３との偏光方向は、液晶分子３９ａの長軸方向と直角となる。よって、液晶分子の投射図と長軸方向と入射光の偏光方向とは略垂直となる。このため、正面方向から見た場合（観察者３１が見た場合）は、複屈折の影響を受けず、そのままメインＬＣＤ１４の画像が見える。
【００６７】
一方、表示部４に向かって左側にいる観察者３２から見た液晶分子、すなわち、基板２１・２２に向かって左側からの液晶分子の投射図が、液晶分子３９ｂのようになる。第２偏光板１１と第１偏光板１３との偏光方向は、投射図の長軸方向と角度を持つので、液晶分子投射図の長軸方向は入射光の偏光方向と交差角持つ。よって、観察者３２から見ると、液晶の複屈折の影響で第１のＳＷ−ＬＣＤ１２を光が透過せず、メインＬＣＤ１２の画像が見えない。
【００６８】
同様に、表示部４に向かって右側にいる観察者３３から見た液晶分子、すなわち、基板２１・２２に向かって右側からの液晶分子の投射図が、液晶分子３９ｃのようになる。第１偏光板１３と第２偏光板１１との偏光方向は、投射図の長軸方向と角度を持つので、液晶分子投射図の長軸方向は入射光の偏光方向と交差角持つ。よって、観察者３３から見ると、液晶の複屈折の影響で第１のＳＷ−ＬＣＤ１２を光が透過せず、メインＬＣＤ１２の画像が見えない。
【００６９】
以上のような仕組みにより、透明電極基膜２６・２７に電圧を印加すると、表示部４を、正面方向から見た場合（観察者３１が見た場合）は、複屈折の影響を受けずそのままメインＬＣＤ１４の画像が見えるが、正面方向以外から見た場合（観察者３２・３３が見た場合）は、複屈折の影響を受けて第１のＳＷ−ＬＣＤ１２を光が透過せず、メインＬＣＤ１４の画像が見えなくなる。
【００７０】
（ＳＷ−ＬＣＤの液晶分子配向例４）
ＳＷ−ＬＣＤの液晶分子配向例４について、図８を用いて説明する。配向例４は、ＳＷ−ＬＣＤの配向例３において、配向膜２４・２５の代わりに、垂直配向材のポリイミド材料を使用した配向膜を使用した第１のＳＷ−ＬＣＤ１２’を用いることで実現される。これにより、基板２１・２２と略垂直となるように液晶分子を配向させられる。
【００７１】
この場合、電圧無印加の状態で、第１のＳＷ−ＬＣＤ１２’の液晶分子は基板２１・２２と略垂直に一軸配向している。すなわち、図８（ｂ）に示すように、正面から見た場合は、液晶分子４０ａの真円のように見える。そして、正面以外の方向から見た場合は、液晶分子４０ｂ、４０ｃのように長軸方向がｘ方向となるように見える。したがって、液晶分子を基板と直交する方向を含むどの方向から投射した場合でも、長軸方向と入射光の偏向方向が一致する。液晶分子の投影図の長軸方向と入射光の偏光方向とがなす角度が０度（平行）の場合には、入射光は複屈折の影響を受けることなく透過するので、どの角度から観察しても、そのままメインＬＣＤ１４の画像が見える。この状態、つまり電圧無印加の状態を広視野角モードとして設定する。
【００７２】
一方、狭視野角モードでは、広視野角モードの状態から、ｘ方向を軸とした回転により液晶分子が基板２１・２２に対して４５度傾斜するように、透明電極膜２６・２７に交流電圧をかける。このときの液晶分子の様子は、図７に示すＳＷ−ＬＣＤの配向方法１と同様である。
【００７３】
よって、同様の仕組みにより、透明電極膜２６・２７に電圧を印加すると、表示部４は、正面方向から見た場合（観察者３１が見た場合）は、複屈折の影響を受けずそのままメインＬＣＤ１４の画像が見えるが、正面方向以外から見た場合（観察者３２・３３が見た場合）は、複屈折の影響を受けてメインＬＣＤ１４の画像が見えない。
【００７４】
尚、上記液晶分子配向例１〜４は、第１のＳＷ−ＬＣＤ１２を例にとって説明したものであるが、第３偏光板１７および第４偏光板１５における偏光透過軸の向き、ならび配向膜６４・６５における配向方向に上記液晶分子配向例１〜４を適用すれば、第２のＳＷ−ＬＣＤ１６においても上記説明は当てはまるものである。
【００７５】
また、上記液晶分子配向例１〜４の説明では、狭視野角モード時においてメインＬＣＤ１４の画像視認が防止されるのは、表示画面上の左右方向からの視線に対してであるが、上記構成全体をそのまま９０°回転させた配置とすれば、表示画面上の上下方向からの視線に対してメインＬＣＤ１４の画像視認を防止可能となる。
【００７６】
（透過度測定実験）
液晶分子配向例１および３のＳＷ−ＬＣＤを用いて、視野角制御時（電圧印加時）での、視線方向による透過率の変化を測定した。結果を図９，図１０に示す。
【００７７】
図９は、液晶分子配向例１のＳＷ−ＬＣＤにおいて視野角制御時（電圧印加時）の測定結果を示すグラフである。測定は、第１偏光板の偏光透過軸が上下方向となるように配置し、表示部４に対して垂直となる方向（法線方向）からの視線（仰角０度）から目標点を変えず視点を左右にずらして行った。なお、視点は仰角０度から、表示部４に対して垂直となる方向と視線とがなす角が８０度となるまで（仰角８０度となるまで）ずらし、視線の仰角と、視線から視認されるＳＷ−ＬＣＤの透過率を測定した。グラフの横軸は仰角を示し、縦軸は透過率を示している。また、ＳＷ−ＬＣＤとしては、正面から見た場合のリターデーションが５００ｎｍ、６００ｎｍ、８００ｎｍ、１０００ｎｍ、１５００ｎｍのものを用いて測定した。
【００７８】
これによると、すべて仰角０度で約８５％の最大の透過率を示し、仰角を上げると共に透過率が下がっていった。リターデーション１５００ｎｍのものでは、仰角約３０度で透過率がほぼ０％となり仰角をさらに上げると再び透過率が上昇した。リターデーションが１０００ｎｍのものでは仰角約３８度が、８００ｎｍのものでは仰角約４４度で透過率がほぼ０％となっている。また、リターデーションが６００ｎｍ、５００ｎｍのものでは、それぞれ仰角約５０度、約６０度で最低となり、それ以降仰角を上げても透過率は１０％以下に保たれる。
【００７９】
ＳＷ−ＬＣＤとしては、メインＬＣＤを視認されたくない方向に応じて、または、使用環境、メインＬＣＤの輝度等を考慮して決定される、必要な透過率の低下に応じて、リターデーションを決定すればよい。例えば、仰角４５度程度からの視線に対してメインＬＣＤの画像を隠す場合は、この仰角での透過率が低い、５００ｎｍ〜１０００ｎｍのリターデーションを示すＳＷ−ＬＣＤを用いればよい。仰角３０度〜５０度からの視線を中心にメインＬＣＤの画像を隠したい場合は、この範囲で透過率が低い、リターデーション８００ｎｍ〜１０００ｎｍのものを用いればよい。一方、仰角が４０度より大きい範囲からの視線に対してメインＬＣＤの画像を隠したい場合は、この範囲で透過率が低い、リターデーション５００ｎｍ〜６００ｎｍのものを用いればよい。
【００８０】
また、図１０は、同様にして液晶分子配向例３のＳＷ−ＬＣＤにおいて視野角制御時（電圧印加時）の測定結果を示すグラフである。図９と比べ、仰角が大きいときの透過率が高くなるので、液晶分子配向例１のように、液晶分子の長軸方向が偏光透過軸と略平行にする方がより好ましい。なお、曲線の特徴は図９と類似しているので、同じようにして最適なリターデーションを選べばよい。
【００８１】
本発明に係る表示装置は、左右および上下方向の斜めからの視線に対して画像認識を防止可能とすることを目的としており、この目的を達成するための具体的な構成について以下に説明する。尚、ここで左右および上下方向とは、例えば図２に示す携帯電話機１を例とした場合、表示部４を縦置きにした場合の左右および上下方向を示している。
【００８２】
本実施の形態に係る表示装置では、図１に示す第１のＳＷ−ＬＣＤ１２を、左右方向の斜めからの視線に対して画像認識を防止するための表示切替手段として用い、第２のＳＷ−ＬＣＤ１６を、上下方向の斜めからの視線に対して画像認識を防止するための表示切替手段として用いる。
【００８３】
すなわち、第１のＳＷ−ＬＣＤ１２においては、第２偏光板１１、第１偏光板１３、および配向膜２４、２５の関係を上述した液晶分子配向例１ないし４の何れかとする。そして、第２のＳＷ−ＬＣＤ１６においては、第４偏光板１５、第３偏光板１７、および配向膜６４、６５の関係を上述した液晶分子配向例１ないし４の何れかを９０°回転させた構成とする。
【００８４】
また、本実施の形態の表示装置は、第１偏光板１３と第２偏光板１１との偏光透過軸が同じ方向のものを使用しているが、第１偏光板１３と第４偏光板１５とはメインＬＣＤ１４の特性の要求にしたがう必要があり、その結果、第１偏光板１３は任意の軸角度を持つ可能性がある。
【００８５】
このような場合は、図１１に示すように、第２偏光板１１と基板２１との間に、入射する光の偏光方向を回転させる偏光回転部材５０を配置すれば、同じ機能を持たせることができる。つまり、偏光回転部材５０が、液晶分子から出射される直線偏光の偏光方向を回転させて、第２偏光板１１によって取り出されるような直線偏光にすることで、第１の偏光板１３と第２の偏光板１１との偏光透過軸が一致していなくても、第２偏光板１１に、上記液晶分子から出射する直線偏光を取り出させることができる。偏光回転部材５０としては、１／２λ板（位相差板）を用いることができる。
【００８６】
なお、上記偏光回転部材５０は、第１偏光板１３と第２偏光板１１との間であれば、液晶層より光入射側に設置しても、光出射側に設置してもよい。また、第１偏光板１３より光入射側に偏光回転部材５０を設置してもよい。
【００８７】
また、上記例では、第１のＳＷ−ＬＣＤ１２をメインＬＣＤ１４より前面（表示面側）に配置し、第２のＳＷ−ＬＣＤ１６をメインＬＣＤ１４より背面（表示面の反対側）に配置したものを例として説明しているが、第１のＳＷ−ＬＣＤ１２、第２のＳＷ−ＬＣＤ１６、およびメインＬＣＤ１４の配置順序は特に限定されるものではない。すなわち、第１のＳＷ−ＬＣＤ１２および第２のＳＷ−ＬＣＤ１６をともにメインＬＣＤ１４より前面に配置しても良く、あるいはともにメインＬＣＤ１４より背面に配置しても良い。また、第１のＳＷ−ＬＣＤ１２と第２のＳＷ−ＬＣＤ１６との配置も任意に入れ替え可能である。
【００８８】
以上のように、本実施の形態に係る表示装置では、第１のＳＷ−ＬＣＤ１２および第２のＳＷ−ＬＣＤ１６において液晶層への電圧印加を行わない場合、上下および左右方向からの斜め方向からの何れの視線に対してもメイン画像が視認でき、この場合を広視野角モードとする。
【００８９】
また、狭視野角モードでは、第１のＳＷ−ＬＣＤ１２にて電圧印加を行い、第２のＳＷ−ＬＣＤ１６にて電圧印加を行わない場合に、左右方向からの斜め方向からの視線のみに対してもメイン画像の視認を防止し、第１のＳＷ−ＬＣＤ１２にて電圧印加を行わず、第２のＳＷ−ＬＣＤ１６にて電圧印加を行う場合に、上下方向からの斜め方向からの視線のみに対してもメイン画像の視認を防止する。第１のＳＷ−ＬＣＤ１２および第２のＳＷ−ＬＣＤ１６の両方にて液晶層に電圧印加を行う場合には、上下および左右方向からの斜め方向からの視線に対してメイン画像の視認を防止する。
【００９０】
また、狭視野角モードにおける斜め方向からの視線に対して、ロゴ等の入った切り替え画像を表示することも可能である。この場合、第１のＳＷ−ＬＣＤ１２では、透明電極膜２６・２７の一方、または両方について、例えば「ＳＨＡＲＰ」の白で示されるロゴ部分以外（非透過部分）に電極が配置されるように電極パターニングを施されたものを使用する。これにより、少なくとも片方の透明電極膜に電圧が印加されないロゴ部分では、液晶分子に電圧がかからないので、配向方向が電圧無印加時と同じように基板２１・２２と略平行となっている。したがって、ロゴ部分だけは、どの方向から見てもＳＷ−ＬＣＤ１４における複屈折の影響を受けない。よって、観察者３２・３３が見る画像は、ロゴ部分以外で光が遮断され、ロゴ部分で光が透過する、図１２に示すようなロゴ画像となる。同様に、第２のＳＷ−ＬＣＤ１６では、透明電極膜６６・６７の一方、または両方について、ロゴ部分以外（非透過部分）に電極が配置されるように電極パターニングを施されたものを使用すればよい。
【００９１】
また、本実施の形態では、携帯電話機の液晶表示部に本発明を適用した場合について説明しているが、これに限られるものではなく、モバイルのパソコン、ＡＶ機器、ＤＶＤプレイヤー等の表示装置を有する携帯用電子機器に適用できる。あるいは、非携帯型の表示装置に適用し、視線方向によって異なる表示ができるディスプレイとして使用してもよい。
【産業上の利用可能性】
【００９２】
本発明の表示装置は、視線の方向によって異なる画像が視認されるようなモードに設定できるので、携帯通信端末やモバイルのパソコン、ＡＶ機器、ＤＶＤプレイヤー等の携帯用電子機器のディスプレイ、あるいは、視線に方向によって複数の情報を提示できるディスプレイ等に適用できる。
【図面の簡単な説明】
【００９３】
【図１】本発明の実施形態に係る携帯電話機の表示部の断面図を示す図である。
【図２】本発明の実施形態に係る携帯電話機を示す図である。
【図３】本発明の実施形態に係る携帯電話機が単一画像表示モードに設定されているときの表示部を示し、（ａ）は表示部の表示面に向かって見た図面を、（ｂ）はＡ−Ａ’断面を示す断面図を、（ｃ）はＢ−Ｂ’断面を示す断面図である。
【図４】本発明の実施形態に係る携帯電話機が複数画像表示モードに設定されているときの表示部を示し、（ａ）はＡ−Ａ’断面を示す断面図を、（ｂ）はＢ−Ｂ’断面を示す断面図である。
【図５】本発明の他の実施形態に係る携帯電話機が単一画像表示モードに設定されているときの表示部を示し、（ａ）はＡ−Ａ’断面を示す断面図を、（ｂ）はＢ−Ｂ’断面を示す断面図である。
【図６】本発明の他の実施形態に係る携帯電話機が単一画像表示モードに設定されているときの表示部を示し、（ａ）は表示部の表示面に向かって見た図面を、（ｂ）はＡ−Ａ’断面を示す断面図を、（ｃ）はＢ−Ｂ’断面を示す断面図である。
【図７】本発明の他の実施形態に係る携帯電話機が複数画像表示モードに設定されているときの表示部を示し、（ａ）はＡ−Ａ’断面を示す断面図を、（ｂ）はＢ−Ｂ’断面を示す断面図である。
【図８】本発明の他の実施形態に係る携帯電話機が単一画像表示モードに設定されているときの表示部を示し、（ａ）はＡ−Ａ’断面を示す断面図を、（ｂ）はＢ−Ｂ’断面を示す断面図である。
【図９】本発明の実施の形態にかかるＳＷ−ＬＣＤにおいて、視線の仰角と透過率との関係を示す図面である。
【図１０】本発明の他の実施の形態にかかるＳＷ−ＬＣＤにおいて、視線の仰角と透過率との関係を示す図面である。
【図１１】本発明の実施の形態にかかる表示部の変形例を示す断面図である。
【図１２】本発明の実施形態に係る携帯電話機の、狭視野角表示モード時の斜め方向からの表示部の視認画面を示す平面図である。
【符号の説明】
【００９４】
１                    携帯電話機（電子機器）
４                    表示部（表示装置）
１１                    第２偏光板（第２の偏光手段）
１２                    メイン液晶表示部（映像表示手段）
１３                    第１偏光板（第１の偏光手段）
１４                    第１のスイッチ液晶表示部（第１の表示切替手段、液晶素子）
１５                    第４偏光板（第４の偏光手段）
１６                    第２のスイッチ液晶表示部（第２の表示切替手段、液晶素子）
１７                    第３偏光板（第３の偏光手段）
２１・２２・６１・６２  基板
２３・６３              液晶層
２４・２５・６４・６５  配向膜
２６・２７・６６・６７  透明電極膜
５０                    偏光回転部材
【図１】
2006106439.tif 000003
【図２】
2006106439.tif 000004
【図３】
2006106439.tif 000005
【図４】
2006106439.tif 000006
【図５】
2006106439.tif 000007
【図６】
2006106439.tif 000008
【図７】
2006106439.tif 000009
【図８】
2006106439.tif 000010
【図９】
2006106439.tif 000011
【図１０】
2006106439.tif 000012
【図１１】
2006106439.tif 000013
【図１２】
2006106439.tif 000014